(57)【要約】【課題】  可視光による情報送信を簡易に実現する工夫が図られたディスプレイ装置、および、このディスプレイ装置を備えた可視光送受信システムを提供する。【解決手段】  画像を表示する画像表示パネルと、画像表示パネルを背面若しくは前面から照明するための照明光源と、照明光源を、照明用に駆動すると共に、視認不能な周波数帯域で、送信情報に応じて変調駆動することにより、照明光源から発せられた照明光に画像表示パネルの照明と情報送信との双方を同時に担わせる光源駆動部とを備えた。【選択図】        図１
2006319545.tif 000002
【特許請求の範囲】
【請求項１】
画像を表示する画像表示パネルと、
前記画像表示パネルを背面若しくは前面から照明するための照明光源と、
前記照明光源を、照明用に駆動すると共に、視認不能な周波数帯域で、送信情報に応じて変調駆動することにより、該照明光源から発せられた照明光に前記画像表示パネルの照明と情報送信との双方を同時に担わせる光源駆動部とを備えたことを特徴とするディスプレイ装置。
【請求項２】
前記照明光源が、互いに異なる色光で発光する複数の発光体で構成され、
前記光源駆動部が、前記複数の発光体それぞれを照明用に駆動すると共に、視認不能な周波数帯域で、送信情報に応じてそれぞれを独立に変調駆動するものであることを特徴とする請求項１記載のディスプレイ装置。
【請求項３】
無線で送信されてきた信号を受信して該信号に担持された情報を取り出す情報受信部を備えたものであることを特徴とする請求項１記載のディスプレイ装置。
【請求項４】
人体の接近を検知する人体検知センサを備え、
前記光源駆動部が、前記人体検知センサによる人体の接近の検知を受けて、該照明光源から発せられた照明光に情報送信を担わさせるものであることを特徴とする請求項１記載のディスプレイ装置。
【請求項５】
画像を表示する画像表示パネルと、
前記画像表示パネルを背面若しくは前面から照明するための照明光源と、
前記照明光源を、照明用に駆動すると共に、視認不能な周波数帯域で、送信情報に応じて変調駆動することにより、該照明光源から発せられた照明光に前記画像表示パネルの照明と情報送信との双方を同時に担わせる光源駆動部とを備えたディスプレイ装置、および
前記画像表示パネルから発せられた光を受光して該光に担持された情報を取り出す情報受信装置を備えたことを特徴とする可視光送受信システム。
【発明の詳細な説明】
【技術分野】
【０００１】
本発明は、可視光で情報送信を行うディスプレイ装置、および、このディスプレイ装置を備えた可視光通信システムに関する。
【背景技術】
【０００２】
従来より、赤外線などの人間の目には見えない光が通信媒体として使用されている。
【０００３】
ところが、赤外線通信などでは、目の保護の点から、安全上、高い電力を送信できないため、通信が制限されている。
【０００４】
そこで、可視光を、人間による視認が不能な周波数帯域で、送信情報に応じて変調駆動することにより、通信媒体として使用することが提案されている（例えば、特許文献１参照。）
ところで、可視光は、通信媒体として用いられる前から巷に溢れており、特にディスプレイ装置は、可視光を発光する、オフィスや家庭に最も浸透した装置の１つであることから、このディスプレイ装置を可視光通信に利用することが考えられる。
【特許文献１】特開２００４−１９３９０８号公報
【発明の開示】
【発明が解決しようとする課題】
【０００５】
ところが、ＣＲＴ方式のディスプレイ装置の発光は、画像表示面の裏側に塗られた蛍光体に電子ビームを衝突させて行なわれることから、このディスプレイ装置からの発光光を、発光時点で、送信情報に応じて変調駆動されたものとしておくことは困難である。
【０００６】
本発明は、上記事情に鑑み、可視光による情報送信を簡易に実現する工夫が図られたディスプレイ装置、および、このディスプレイ装置を備えた可視光送受信システムを提供することを目的とする。
【課題を解決するための手段】
【０００７】
上記目的を達成するための本発明のディスプレイ装置は、
画像を表示する画像表示パネルと、
上記画像表示パネルを背面若しくは前面から照明するための照明光源と、
上記照明光源を、照明用に駆動すると共に、視認不能な周波数帯域で、送信情報に応じて変調駆動することにより、この照明光源から発せられた照明光に上記画像表示パネルの照明と情報送信との双方を同時に担わせる光源駆動部とを備えたことを特徴とする。
【０００８】
本発明のディスプレイ装置では、画像表示パネルを照明するための照明光源を情報送信にも利用している。したがって、本発明のディスプレイ装置によれば、変調駆動が容易な、照明光源からの照明光を情報送信にも用いることで、ＣＲＴディスプレイ装置を用いるよりも可視光による情報送信を簡易に実現することができる。
【０００９】
ここで、上記照明光源が、互いに異なる色光で発光する複数の発光体で構成され、
上記光源駆動部が、上記複数の発光体それぞれを照明用に駆動すると共に、視認不能な周波数帯域で、送信情報に応じてそれぞれを独立に変調駆動するものであることが好ましい態様である。
【００１０】
このようにすると、一度により多くの情報を送信することができる。
【００１１】
また、無線で送信されてきた信号を受信してこの信号に担持された情報を取り出す情報受信部を備えたものであってもよく、人体の接近を検知する人体検知センサを備え、上記光源駆動部が、上記人体検知センサによる人体の接近の検知を受けて、この照明光源から発せられた照明光に情報送信を担わさせるものであってもよい。
【００１２】
上記目的を達成するための本発明の可視光送受信システムは、
画像を表示する画像表示パネルと、
上記画像表示パネルを背面若しくは前面から照明するための照明光源と、
上記照明光源を、照明用に駆動すると共に、視認不能な周波数帯域で、送信情報に応じて変調駆動することにより、この照明光源から発せられた照明光に上記画像表示パネルの照明と情報送信との双方を同時に担わせる光源駆動部とを備えたディスプレイ装置、および
上記画像表示パネルから発せられた光を受光してこの光に担持された情報を取り出す情報受信装置を備えたことを特徴とする。
【発明の効果】
【００１３】
本発明によれば、可視光による情報送信を簡易に実現する工夫が図られたディスプレイ装置、および、このディスプレイ装置を備えた可視光送受信システムを提供することができる。
【発明を実施するための最良の形態】
【００１４】
以下、本発明の実施形態について説明する。
【００１５】
図１は、本発明のディスプレイ装置の第１実施形態を含む、本発明の可視光送受信システムの第１実施形態の概略構成図である。
【００１６】
図１に示す、本実施形態の可視光送受信システム１は、送信情報に応じて照明光源であるＬＥＤ光源を変調駆動することにより、情報送信も担う照明光を出射する液晶ディスプレイ１０、および、液晶ディスプレイ１０から出射された照明光を受光して該照明光に担持された情報を取り出す情報受信装置２０で構成されたものであり、以下では、選択された楽曲のギター伴奏、ピアノ伴奏、およびバイオリン伴奏を送信情報としている場合を例に挙げて説明する。
【００１７】
液晶ディスプレイ１０では、Ｒ色、Ｇ色、およびＢ色のＬＥＤを同時に発光させることで作り出した白色光で液晶表示パネル１１を照明しており、この液晶表示パネル１１は、図１の前面側から順にＬＣＤ１１１、拡散板１１２、バックライト用導光板１１３、および反射板１１４で構成されている。
【００１８】
液晶表示パネル１１の下方には、Ｒ色ＬＥＤとＧ色ＬＥＤとＢ色ＬＥＤとで構成されたユニットＬＥＤが４基並べられた３色ＬＥＤ光源部１２が備えられており、ＬＥＤ光源部１２には、各色ＬＥＤの駆動を制御する駆動回路１３に接続されている。
【００１９】
変調回路１４は、ギター、ピアノ、およびバイオリン３つの音色に対応して３つ備えられており、各変調回路１４には、対応する音色の楽音信号が入力される。変調回路１４は、入力された楽音信号を視認不能な周波数帯域で変調し、各変調回路１４にそれぞれ接続された駆動回路１３をその変調した楽音信号に応じて駆動する。これにより、駆動回路１３により駆動されるＲ色、Ｇ色、およびＢ色の各色ＬＥＤからは、最終的には白色光となることで液晶表示パネル１１の照明と、対応する音色の楽音信号の送信とを同時に担う、互いに異なる色光が液晶表示パネル１１の下面に向けて出射される。
【００２０】
ここで、液晶表示パネル１１の最前面に位置するＬＣＤ１１１は、不図示のＬＣＤ駆動回路で駆動され、画像が表示されるようになっている。
【００２１】
図２は、液晶ディスプレイの液晶表示パネルに表示された画像を示す図である。
【００２２】
図２には、液晶ディスプレイ１０から後述する情報受信装置２０に向けての送信情報である、選択した楽曲の歌詞が表示されている様子が示されている。尚、本実施形態では、ＬＣＤ１１１は、アクティブ・マトリックス方式で駆動されており、このＬＣＤ１１１の駆動周波数よりも高い周波数で、かつＬＣＤ１１１の駆動周波数でフリッカが発生しない変調周波数でＬＥＤが駆動されるようになっている。
【００２３】
一方、図１に示す情報受信装置２０は、液晶表示パネル１１から出射された白色光をＲ色、Ｇ色、およびＢ色の各色光に分光するＲＧＢフィルタ２１、各色光を光電変換して電気信号にするフォトデテクタ（ＰＤ）２２、電気信号を増幅する増幅器（Ａｍｐ）２３、増幅された電気信号から楽音データを取り出す復調器２４、情報受信装置２０全体を制御するＣＰＵ２５、共通バス２５ａにぶら下げられた、メモリ（Ｍｅｍｏｒｙ）２６、磁気ディスク（ＨＤＤ）２７、およびスピーカ２８で構成されている。
【００２４】
この情報受信装置２０では、復調器で取り出した楽音データをメモリ（Ｍｅｍｏｒｙ）２６あるいは磁気ディスク（ＨＤＤ）２７に蓄積できるようになっていると共に、スピーカ２８から３つの音色を放音できるようになっている。
【００２５】
本実施形態の可視光送受信システム１では、変調駆動が容易な、ＬＥＤ光源からのＬＥＤ光を情報送信にも用いることで、可視光による情報送信をＣＲＴディスプレイ装置よりも簡易に実現することができる。
【００２６】
次に、本発明の可視光送信システムの第２実施形態について説明する。
【００２７】
図３は、本実施形態の可視光通信システムの概略構成図である。
【００２８】
図３に示す、本実施形態の可視光通信システム２は、本発明のディスプレイ装置の第２実施形態である液晶ディスプレイ装置１００、および、この液晶ディスプレイ装置１００に対応した情報受信装置２００で構成されている。
【００２９】
本実施形態の可視光送受信システム２と第１実施形態の可視光送受信システム１との相違点は、第１実施形態では情報送信を３チャネルで行なっている対し、本実施形態では情報送信を１チャネルで行っている点のみであり、第１実施形態の３色ＬＥＤ光源部１２の代わりに白色ＬＥＤ光源部１２１を備えている。
【００３０】
また、本実施形態では、この白色ＬＥＤ光源部１２１を備えていることで、情報受信装置２０からは、第１実施形態の情報受信装置２０に備えられているＲＧＢフィルタ２１が省かれている。尚、図３に示す部材で、図１において示す部材と同じ種類の部材には、図１に示す符号と同じ符号を付している。
【００３１】
ここで、図４、図５、図６、および図７は、本発明の液晶ディスプレイの液晶表示パネルの別態様を示す図である。
【００３２】
図４には、本発明の液晶ディスプレイの第１実施形態１０に備えられている液晶表示パネル１１の別態様の液晶表示パネル１１０が示されており、この液晶表示パネル１１０は、前面側から順にフロントライト用導光板１１３１、ＬＣＤ１１１、および反射板１１４で構成されている。
【００３３】
図５には、本発明の液晶ディスプレイの第２実施形態１００に備えられている液晶表示パネル１１の別態様の液晶表示パネル１１０が示されており、これについての説明は、図４における説明と同じ説明となるので省略する。
【００３４】
図６には、本発明の液晶ディスプレイの第１実施形態１０に備えられている液晶表示パネル１１の別態様の液晶表示パネル１１０が示されており、この液晶表示パネル１１０は、前面側から順にＬＣＤ１１１、拡散板１１２、および、Ｒ色ＬＥＤとＧ色ＬＥＤとＢ色ＬＥＤとで構成され、二次元的に複数個並べられたユニットＬＥＤ１２ａで構成されている。
【００３５】
図７には、本発明の液晶ディスプレイの第２実施形態１００に備えられている液晶表示パネル１１の別態様の液晶表示パネル１１０が示されており、この液晶表示パネル１１０は、前面側から順にＬＣＤ１１１、拡散板１１２、および、二次元的に配備された複数個の白色ＬＥＤ１２１ａで構成されている。
【００３６】
以上に説明した実施形態では、楽音信号を送信情報とした場合を例に挙げたが、送信情報はこれに限るものではなく、例えば、各言語での音声信号や、各種デジタルファイルの送信も可能である。
【００３７】
図１と図３では、液晶ディスプレイ１０と液晶ディスプレイ１００、受信装置２０と受信装置２００に分割しているが、液晶ディスプレイに受信装置を備えることで双方向通信が可能な液晶ディスプレイを構成することも可能であり、液晶ディスプレイに備えられた受信装置で、可視光に限らず、赤外線などの不可視光あるいは電波を受信し、それらから情報を取り出すようにしてもよい。
【００３８】
また、液晶ディスプレイに人体感知センサを内蔵することで人が近づいた時のみ可視光による情報送信を行う構成とすることも可能であり、また、上記ＬＥＤ光に指向性を持たせて、液晶ディスプレイの前方の限られた方向にのみ情報送信を行うようにしてもよい。
【図面の簡単な説明】
【００３９】
【図１】本発明のディスプレイ装置の第１実施形態を含む、本発明の可視光送受信システムの第１実施形態の概略構成図である。
【図２】液晶ディスプレイの液晶表示パネルに表示された画像を示す図である。
【図３】本実施形態の可視光通信システムの概略構成図である。
【図４】本発明の液晶ディスプレイの液晶表示パネルの別態様を示す図である。
【図５】本発明の液晶ディスプレイの液晶表示パネルの別態様を示す図である。
【図６】本発明の液晶ディスプレイの液晶表示パネルの別態様を示す図である。
【図７】本発明の液晶ディスプレイの液晶表示パネルの別態様を示す図である。
【符号の説明】
【００４０】
１、２  可視光送受信システム
１０  液晶ディスプレイ
１１  液晶表示パネル
１１１  ＬＣＤ
１１２  拡散板
１１３  バックライト用導光板
１１３１  フロントライト用導光板
１２  ３色ＬＥＤ光源部
１３  駆動回路
１４  変調回路
２０  情報受信装置
２１  ＲＧＢフィルタ
２２  フォトデテクタ
２３  増幅器
２４  復調器
２５  ＣＰＵ
【図１】
2006319545.tif 000003
【図２】
2006319545.tif 000004
【図３】
2006319545.tif 000005
【図４】
2006319545.tif 000006
【図５】
2006319545.tif 000007
【図６】
2006319545.tif 000008
【図７】
2006319545.tif 000009